(57)【要約】【課題】  ロープに挿通した係止ピンに帆立貝を係止し、養殖する際、帆立貝の成長過程において、係止ピンが回転し、帆立貝の成長過程にける運動や、海流によるロープの揺れ等があっても、帆立貝の抜け、脱落を防止し、養殖帆立貝の収穫率を向上させたい。【解決手段】  軸部２の先部３に外方に突出した抜け止め片を備え、該抜け止め片を軸部の先部の一部を先端方向に切り起こして形成した帆立貝養殖用の係止ピン１において、抜け止め片を主抜け止め片５とし、軸部の先部で、主抜け止め片の反対側に、軸部の先部の一部を切り起こして副抜け止め片７を外方に突出するように形成した帆立貝養殖用の係止ピン。【選択図】      図１
0003112534.tif 000002
【実用新案登録請求の範囲】
【請求項１】
軸部の先部に外方に突出した抜け止め片を備え、該抜け止め片を軸部の先部の一部を先端方向に切り起こして形成した帆立貝養殖用の係止ピンにおいて、
前記抜け止め片を主抜け止め片とし、前記軸部の先部で、前記主抜け止め片の反対側に、該軸部の先部の一部を切り起こして副抜け止め片を外方に突出するように形成した、
ことを特徴とする帆立貝養殖用の係止ピン。
【請求項２】
前記副抜け止め片を切り起こした後の軸部先部に残る凹欠部は、前記主抜け止め片を切り起こした後の軸部先部に残る凹欠部よりも小さく、副抜け止め片の長さ及び軸部外方への突出量が、主抜け止め片よりも小さいことを特徴とする請求項１記載の帆立貝養殖用の係止ピン。
【請求項３】
前記主抜け止め片及び副抜け止め片は、軸部を挟んで対称的に後方且つ外方に弧状に湾曲していることを特徴とする請求項１または請求項２記載の帆立貝養殖用の係止ピン。
【請求項４】
前記主抜け止め片の後端部と副抜け止め片の後端部とは、軸部の軸方向の位置において略々一致するようにしたことを特徴とする請求項１〜請求項３のいずれか１項に記載の帆立貝養殖用の係止ピン。
【請求項５】
前記副抜け止め片は、軸部の軸方向に前後に離間して複数個設けたことを特徴とする請求項１〜請求項３のいずれか１項に記載の帆立貝養殖用の係止ピン。
【考案の詳細な説明】
【技術分野】
【０００１】
本考案は、帆立貝の養殖に用いる係止ピンの改良に関するものである。
【背景技術】
【０００２】
帆立貝の養殖に際し、係止ピンをロープに通し、係止ピンの先端部に設けた係止部に帆立貝の稚貝の耳片の穿孔部に通し、海中にロープを垂らし、帆立貝を養殖する係止ピンは実用に供されている。
【０００３】
従来、養殖帆立貝の係止ピンが提案されている（例えば、特許文献１参照。）。
【特許文献１】特開２００２−１３６２４１公報
【０００４】
特許文献１の係止ピンは可撓性を有する樹脂で形成され、尖鋭な軸部の先端部に切り起こした円弧の抜け止め片を軸部の軸方向中央部方向に延出し、且つ軸部の外方に湾曲、突出させたもので、先端部は∠状の銛状となる。∠状の銛状の抜け止め片は、軸部の両端部に形成されている。
【０００５】
図９（ａ）〜（ｃ）は、以上で述べた従来の係止ピンによる帆立貝の養殖を説明する図で、従来の問題点を指摘する図である。
図９（ａ）で示したように、係止ピン１００は軸部１０１の両端部を尖鋭な先端部１０２，１０２とし、これの軸方向の中央部寄り部分に同方向外方に切り起こした抜け止め片１０３，１０３を∠状（両端部で対称）に形成し、抜け止め片１０３，１０３は、軸部１０１の先部を鋭角な∠状に切り起こして切り欠き部１０４，１０４とし、切り欠き部１０４，１０４で切り起こした切り起こし片を抜け止め片１０３，１０３とする。軸部１０１の軸方向中間部にはハ字形にロープの抜け止め部１０５を突設する。
【０００６】
ロープ１０８に長さ方向所定ピッチ離間して多数の通し孔を設け、係止ピン１００を一方の先端部１０２から挿入し、抜け止め部１０５でロープ１０９を両側から挟み込んで係止ピン１００をロープ１０８に止着し、帆立貝１０６の耳片１０７に係止孔１０８（図９（ｃ）参照）を設け、係止孔１０８に係止ピン１００の先端部１０２に通す。抜け止め片１０３は係止孔１０８を通って外方に拡開し、耳片１０７の係止孔１０８の周辺部に当たって抜け止め作用を果たす。
この状態を図９の（ａ）で示し、初期の設定状態では係止ピン１００の抜け止め片１０３は上方を向いており、ロープ１０８は海中に垂らして帆立貝を養殖する。
【０００７】
帆立貝の養殖途中において、波浪や係止した帆立貝の運動等に起因して係止ピン１００が図７の（ｂ）の矢印で示したように回転する場合が往々にしてある。この結果帆立貝１０６を係止ピン１００の先端部に係止している抜け止め片１０３が下向きとなる場合がある。
一方帆立貝１０６は、耳片１０７を上部として下方に垂れ下がって係止されており、抜け止め片１０３が下向きとなった場合、抜け止め片１０３は帆立貝１０６の弧状の肩部１０６ａに当接して上方に屈曲し、屈曲は切り欠き部１０４でこれと重なるように大きな屈曲（縮閉）が許容され、抜け止め片１０３の端部１０３ａが係止孔１０７近傍に到り、帆立貝１０６の係止ピン１００の軸方向の運動等により抜け止め片１０３の端部１０３ａと係止孔１０７とが一致し、鎖線１００Ａに示すように係止孔１０７のから抜け止め片１０３が抜ける場合がある。
【０００８】
この結果、帆立貝が係止ピン１００から脱落する。
このことは、時間とともに帆立貝は成長し、成長過程で係止ピンが回転し、帆立貝が成長過程で係止ピンの軸方向にも大きな運動を行ったりする場合があり、又海流等の影響によるロープ１０８の海中での揺れ等も加わり、上記した状態となって、帆立貝が係止ピンから脱落する場合がある。
このことは帆立貝の養殖上大きな問題である。
課題を記載する。
【考案の開示】
【考案が解決しようとする課題】
【０００９】
本考案は、ロープに挿通した係止ピンに帆立貝を係止し、養殖する際、帆立貝の成長過程において、係止ピンが回転し、帆立貝の成長過程における運動や、海流によるロープの揺れ等があっても、帆立貝の抜け、脱落を防止し、養殖帆立貝の収穫率を向上させ、これを簡素な構造で実現し得る帆立貝養殖用の係止ピンを提供することを課題とする。
【課題を解決するための手段】
【００１０】
請求項１に係る考案は、軸部の先部に外方に突出した抜け止め片を備え、該抜け止め片を軸部の先部の一部を先端方向に切り起こして形成した帆立貝養殖用の係止ピンにおいて、前記抜け止め片を主抜け止め片とし、前記軸部の先部で、前記主抜け止め片の反対側に、該軸部の先部の一部を切り起こして副抜け止め片を外方に突出するように形成したことを特徴とする。
【００１１】
請求項２に係る考案は、請求項１において、前記副抜け止め片を切り起こした後の軸部先部に残る凹欠部は、前記主抜け止め片を切り起こした後の軸部先部に残る凹欠部よりも小さく、副抜け止め片に長さ及び軸部外方への突出量が、主抜け止め片よりも小さいことを特徴とする。
【００１２】
請求項３に係る考案は、請求項１または請求項２において、前記主抜け止め片及び副抜け止め片は、軸部を挟んで対称的に後方且つ外方に弧状に湾曲していることを特徴とする。
【００１３】
請求項４に係る考案は、請求項１〜請求項３のいずれか１項において、前記主抜け止め片の後端部と副抜け止め片の後端部とは、軸部の軸方向の位置において略々一致するようにしたことを特徴とする。記載の帆立貝養殖用の係止ピン。
【００１４】
請求項５に係る考案は、請求項１〜請求項３のいずれか１項において、前記副抜け止め片は、軸部の軸方向に前後に離間して複数個設けたことを特徴とする。
【考案の効果】
【００１５】
請求項１に係る考案では、係止ピンの軸部先部に設けた抜け止め片を主抜け止め片とし、主抜け止め片の反対側に、該軸部の先部の一部を切り起こして副抜け止め片を外方に突出するように形成したので、ロープに係止し、帆立貝を両端部に係止した係止ピンが回転した上向きの主抜け止め片が下向きとなり、該抜け止め片の端部が帆立貝の肩部の曲面にガイドされて耳片の係止孔に臨んでも、反対側の副抜け止め片の端部が耳片の係止孔周辺部に当接して抜けを阻止する。
【００１６】
これにより、成長過程の運動やロープの揺れ等に起因する帆立貝の係止ピンからの脱落が防止でき、係止ピンによる帆立貝養殖において、養殖帆立貝の収穫率を従来に比し、画期的に向上させることができる。
そして、以上を抜け止め片の反対側に小さな副抜け止め片を設けるという簡素な構造で、製作を容易に実現することができる。
【００１７】
請求項２に係る考案では、請求項１において、副抜け止め片を切り起こした後の軸部先部に残る凹欠部は、主抜け止め片を切り起こした後の軸部先部に残る凹欠部よりも小さく、副抜け止め片の長さ及び軸部外方への突出量が主抜け止め片よりも小さくしたので、請求項１の効果に加えるに、先ず、係止ピン回転時の主・副の抜け止め片を軸部先部を反対側に切り離して対称的に形成するが、副抜け止め片成形側の凹欠部が小さいので主抜け止め片の凹欠部と併せてもこの部分の軸部の強度を確保することができ、２個の抜け止め片を形成しつつ強度上１個の抜け止め片と遜色のない、帆立貝脱落防止効果の高い係止ピンを得ることができる。
また、副抜け止め片は主抜け止め片に比較して小さいが、反転した係止ピンの抜け止め部分の帆立貝耳片の係止孔からの抜け出しを規制すれば良いので、十分な、高い抜け出し効果を得ることができる。
【００１８】
請求項３に係る考案では、請求項１または請求項２において、主抜け止め片及び副抜け止め片は、軸部を挟んで対称的に後方且つ外方に弧状に湾曲しているので、請求項１または請求項２の効果に加えるに、抜け止め片端部は可及的に係止ピン軸部の外方に位置し、帆立貝耳片の係止孔とラップし難い位置となり、帆立貝の係止を一層確実化する。
【００１９】
請求項４に係る考案では、請求項１〜請求項３のいずれか１項において、主抜け止め片の後端部と副抜け止め片の後端部とを軸部の軸方向の位置において略々一致するようにしたので、係止ピンが回転した際、主・副抜け止め片の何れの端部も帆立貝の係止孔周辺部に臨むこととなり、主・副抜け止め片の係止孔からの抜け止め機能を確実化することができ、またこれを主・副抜け止め片の端部を係止ピンの軸方向位置として揃えるだけで実現し、構造も簡素で、高い効果を得ることができる。
【００２０】
請求項５に係る考案では、請求項１〜請求項３のいずれか１項において、副抜け止め片を軸部の軸方向に前後に離間して複数個設けたので、万一先の副抜け止め片７が帆立貝耳片の係止孔に進入したとしても、軸方向先部の次の副抜け止め片により進入を阻止され、二重に抜け出し、脱落を防止することができる。
【考案を実施するための最良の形態】
【００２１】
本考案を実施するための最良の形態を添付図に基づいて以下に説明する。なお、図面は符号の向きに見るものとする。
図１は、本考案に係る係止ピンの先部の拡大側面図、図２は、同係止ピン全体の側面図である。
係止ピン１は図２に示した通り所定長さの軸部２を備え、軸部２は断面が円形、或いは楕円、又は矩形である。軸部２の両端の先部３，３（図２参照）には尖鋭な挿入部４，４を夫々形成する。
【００２２】
各先部３の軸方向中間部には外方に突出する主抜け止め片５を突設する。主抜け止め片５は、軸部２の軸方向中間部内方を向いて延出するように設けられ、基部５ａを先部３に連続し、軸部２の内方を向く端部５ｂは径方向外方を向くように湾曲して弧状に形成されている。
以上の主抜け止め片５は、軸部２の先部３の外周部の一部を切欠して切り起こし片として形成し、主抜け止め片５を切り起こした残部が凹欠部６をなす。
【００２３】
凹欠部６の先部６ａ〜中間部６ｂは平坦で、後部６ｃは径方向外方に傾斜し、軸部２の一般部と合流する。
以上の尖鋭部４、凹欠部６、主抜け止め片５を含む先部３は軸部２の両端部に形成する。
【００２４】
軸部２の両端の先部３，３の前記した主抜け止め片５の軸周の反対側には、副抜け止め片７を外方に突出するように設ける。副抜け止め片７は、主抜け止め片５に比較し大幅に小さく、主抜け止め片５と同様に軸部２の先部３の前記し凹欠部６の反対側の外周部の一部を切欠して切り起こし片として形成し、副抜け止め片７を切り起こした残部が凹欠部８をなす。
【００２５】
副抜け止め片７を切り起こした残部で形成される凹欠部８は、前記した凹欠部６に比較し大幅に小さく、副抜け止め片７及びこれの凹欠部８は、主抜け止め片５の凹欠部６の軸方向内方部分に形成され、凹欠部８の軸部２の径方向の潜りは小さい。
副抜け止め片７の基部７ａは先部３外周と連続し、端部７ｂは外方に湾曲して突出し、端部７ｂと主抜け止め片５の端部５ｂとは、軸部２の軸方向位置が略々一致するように形成する。
即ち、主、副の抜け止め片５，７の端部５ｂ，７ｂは、軸部中心線からみて垂直に、同一線Ｙ上にあることが望ましい。この理由は、後述するが、一方の抜け止め片５又は７の端部５ｂ，７ｂが後述する係止孔１３（図５参照）の近くに誘導された場合に、残る他方が反対向きの位置で耳片へ当接して抵抗（突っ張り）となれるからである。
【００２６】
以上の副抜け止め片７も両端部に対称的に形成する。
係止ピン１の軸部２の長さ方向中間部には、外方の同方向にロープ係止部９，９を突設する。ロープ係止部９，９は実施の形態では「ハ」字方とし、係止部９，９の間隔はロープの径と略々一致させる。
ロープ係止部９，９の具体的形状は図示例に限られず任意である。
以上の係止ピン１は、ある程度剛性があり、且つ可撓性のある合成樹脂で各部一体に成形する。
【００２７】
図３及び図４は、本考案に係る係止ピンによる帆立貝の係止状態を示す説明図で、図３は正常状態、図４は回転し、反転した状態を示す図である。
ロープ１０に事前に係止ピンの通し孔を設けておき、係止ピン１を一方の尖鋭な挿入部４から挿入し、一方のロープ係止部９が撓んで通し孔を通り、ロープ１０はロープ係止部９，９間に臨む（図３参照）。
【００２８】
帆立貝（稚貝）１１の耳片１２には係止孔１３（図５参照）を設け、係止ピン１の先端部の挿入部４を通し、押し込むことで主・副抜け止め片５，７は内側に撓み、係止孔１３を通って弾性的に拡開し、端部５ｂ，７ｂは係止孔１３の周辺部に臨む。
この状態を図３で示し、通常状態では主抜け止め片５が上位であり、副抜け止め片７は下位である。
主抜け止め片５の端部５ｂが耳片１２の係止孔１３の周辺部の外方近傍に位置して係止孔周辺部に当接して抵抗となり、端部５ｂの当接、突っ張り作用により、帆立貝１１が軸方向の抜ける方向に動いても、主抜け止め片５で抜けは阻止される。
【００２９】
ところで帆立貝の運動や海流等の影響で係止ピン１が図４の矢印で示したように回転し、反転する場合がある。
この状態では、係止ピン１の主抜け止め片５は下側となって帆立貝１１に当接し、副抜け止め片７は上側となって耳片１２に臨む。
【００３０】
図４のように係止ピン１が反転した状態では、下向きとなった主抜け止め片５の端部５ｂが帆立貝１１の肩部１１ａに臨み、これに当接し、この状態で帆立貝１１が係止ピン１の軸方向外方に動いた場合、主抜け止め片５の端部は肩部１１ａの湾曲面に案内されて耳片１２の係止孔１３方向に撓む。
主抜け止め片５は、前述したように軸部２の先部３に設けた切り起こし後の凹欠部６により径方向内方に撓んで倒れ込み、これにより端部５ｂが係止孔１３に臨む状態となり、係止孔１３内の下辺１３ａに臨み、係止孔１３内に進入する。
【００３１】
この状態が進行すれば、主抜け止め片５のみの場合は、前記した従来例のように係止孔１３内を通って係止孔１３から抜け出すこととなる。
本考案では、主抜け止め片５の反対側に副抜け止め片７が外方に突出するように設けられているので、主抜け止め片５が係止孔１３に臨んでこれに誘導されそうになるが、上向きとなる副抜け止め片７の端部７ｂが、係止孔１３の上側の周辺部に当接し、副抜け止め片７の規制により係止孔１３から係止ピン１の先部３の抜け出しを阻止する。
【００３２】
これにより、係止ピン１の反転時における帆立貝１１の抜け出し、脱落を防止することができる。
この状態を、図５の要部拡大断面図で示した。
ところで、係止ピンの反転時における副抜け止め片７に対する帆立貝１１の係止孔１３周辺部への抜け方向に作用する力であるが、抜け方向の力は差程大きなものではなく、小さな副抜け止め片７でも、充分の抜け防止効果を得ることができる。
【００３３】
図６は、本考案に係る係止ピンと、先部に外方に対称的に主抜け止め片相当の抜け止め片を設けた＜形の係止ピンの説明図で、（ａ）は本考案に係る係止ピン、（ｂ）は比較例の係止ピンを示す図である。
【００３４】
図６の（ａ）では、本考案に係る係止ピン１では、主抜け止め片５の形成で残留した凹欠部６は深く、径方向の大きく潜っているが、副抜け止め片７の形成で残留した凹欠部８は該副抜け止め片７が小さいことから浅く、径方向への潜りが小さい。
従って、凹欠部６と凹欠部８とで形成されるこの部分の軸径ｒ１はある程度大きく、太径である。
【００３５】
一方、図６の（ｂ）で示した比較例の係止ピン５１では、尖鋭な先端部４を備える軸部２の先部３に主抜け止め片５と同じ大きさの抜け止め片５５を設け、＜形の銛状とした。
比較例では、大きな同じ大きさの抜け止め片５，５５を切り起こしたので、残留する大きな凹欠部６，５６により形成されたこの部分の軸径ｒ２は小さく、この部分は小径となる。
従って、比較例の係止ピン５１の軸径ｒ２は、本考案に係る係止ピン１の対応部分の軸径ｒ１に比較して細く、本考案に比較し充分な軸径を確保することができず、本考案に係る係止ピンの強度が優れることが理解できる。
【００３６】
図７は係止ピンの他の実施の形態を示す図である。
本実施の形態において、前記と同じ部分には同一符号を付し、詳細な説明は省略する。
軸部２の先部３に主抜け止め片５とともに前記と同様の副抜け止め片７を設けるが、これと同じ側で前方部位に第２の副抜け止め片１７を設ける。
【００３７】
第２の副抜け止め片１７は副抜け止め片（第１の）７と略々同大で、これの凹欠部８と略々同大の凹欠部１８を備える。
副抜け止め片７、１７が軸方向に離間して配設されているので、万一第１副抜け止め片７が帆立貝耳片１２の前記した係止孔１３に進入したとしても、軸方向先部の第２副抜け止め片１７により進入を阻止され、二重に抜け出し、脱落を防止することができる。
【００３８】
図８はロープ係止部の他の実施の形態を示す図で、前記と同じ部分には同一符号を付し、詳細な説明は省略する。
軸部２の中間部周に突設するロープ係止部１９，１９を、一方を上方に軸方向内方に傾斜して突設し、他方の下方に対称的に反対側に傾斜させて突設したものである。
このようにロープ係止部の構造は任意である。
【産業上の利用可能性】
【００３９】
本考案に係る係止ピンは、帆立貝養殖に好適である。
【図面の簡単な説明】
【００４０】
【図１】本考案に係る係止ピンの先部の拡大側面図である。
【図２】図１の係止ピン全体の側面図である。
【図３】本考案に係る係止ピンによる帆立貝の係止状態を示す説明図で、正常状態を示す図である。
【図４】考案に係る係止ピンによる帆立貝の係止状態を示す説明図で、回転し、反転した状態を示す図である。
【図５】係止ピンの反転時における帆立貝と係止ピンの関係を示す要部拡大断面図である。
【図６】本考案に係る係止ピンと、先部に外方に対称的に主抜け止め片相当の抜け止め片を設けた＜形の係止ピンの説明図で、（ａ）は本考案に係る係止ピン、（ｂ）は比較例の係止ピンを示す図である。
【図７】副抜け止め片を複数設けた実施の形態の要部の拡大側面図である。
【図８】ロープ係止部の他の実施の形態の係止ピンの全体側面図である。
【図９】（ａ）〜（ｃ）は、従来の係止ピンによる帆立貝の養殖を説明する図で、従来の問題点を指摘する図である。
【符号の説明】
【００４１】
１…係止ピン、  ２…軸部、  ３…先部、  ４…挿入部、  ５…主抜け止め片、  ６…主抜け止め片切り起こし後の残留凹欠部、  ７…副抜け止め片、  ８…副抜け止め片切り起こし後の残留凹欠部、  １０…ロープ、  １１…帆立貝、  １２…耳片、１３…係止孔。
【図１】
0003112534.tif 000003
【図２】
0003112534.tif 000004
【図３】
0003112534.tif 000005
【図４】
0003112534.tif 000006
【図５】
0003112534.tif 000007
【図６】
0003112534.tif 000008
【図７】
0003112534.tif 000009
【図８】
0003112534.tif 000010
【図９】
0003112534.tif 000011